(57)【要約】      （修正有）【課題】乗客の操作によって、エレベーターの窓から見える景観を説明する情報を表示し又は消すことを実現する。【解決手段】昇降するかごの窓に設置された透明性のタッチパネル式表示装置１０２と、窓を通して見える景色に関する情報を記憶する記憶手段３０５と、かご位置情報を検出するかご位置検出部３０１と、タッチパネル式表示装置１０２の表示画面上の接触された位置を検出するタッチ検出部２０と、かご位置情報に応じて、タッチパネル式表示装置１０２のタッチ位置を有効とするように制御するタッチ位置検出制御部３０４と、かご位置情報に応じて、表示画面上の表示場所を決めると共に、かご位置情報に応じて記憶手段３０５に記憶された情報を読み出す表示制御部３０３を有し、タッチ検出部２０が検出した接触の位置に応じて、表示制御部３０３は、かご位置情報に応じた情報を、記憶手段３０５から読み出して、表示画面の表示場所に表示する。【選択図】図３
2014141325.tif 000002
【特許請求の範囲】
【請求項１】
かごに外の景色が見える窓を有するエレベーターと、該エレベーターを移動制御する制御装置と、移動する該エレベーターのかご位置を測定する測定手段と、該エレベーターの窓に設置された透明性のタッチパネル式表示装置を有するエレベーターにおいて、
該景色に関する情報を記憶する記憶手段と、
該測定手段によって測定される測定値を基にかご位置情報を検出するかご位置検出部と、
該タッチパネル式表示装置の表示画面上の接触された位置を検出するタッチ検出部と、
該かご位置検出部によって検出されるかご位置情報に応じて、該タッチパネル式表示装置のタッチ位置を有効とするように制御するタッチ位置検出制御部と、
該かご位置検出部によって検出されるかご位置情報に応じて、該表示画面上の表示場所を決めると共に、該かご位置情報に応じて該記憶手段に記憶された情報を読み出す表示制御部を有し、
該タッチ検出部が検出した接触の位置に応じて、該表示制御部は、かご位置情報に応じた情報を、該記憶手段から読み出して、該表示画面の該表示場所に表示する
ことを特徴とするエレベーターの情報表示システム。
【請求項２】
請求項１に記載のエレベーターの映像情報表示システムにおいて、
該エレベーターの測定手段による該測定値を基に該かごの速度を検出するかご速度情報検出部を有し、
該表示制御部は、該かご速度情報検出部によって検出された速度に応じて該表示画面における該情報の表示をスクロール制御することを特徴とするエレベーターの情報表示システム。
【請求項３】
請求項１又は２に記載のエレベーターの映像情報表示システムにおいて、
該表示制御部は、該タッチ検出部が検出した接触の位置に応じて、該表示画面に表示されている情報の表示を消去することを特徴とするエレベーターの情報表示システム。
【請求項４】
かごに外の景色が見える窓を有するエレベーターと、該エレベーターを移動制御する制御装置と、移動する該エレベーターのかご位置を測定する測定手段と、該エレベーターの窓に設置された透明性のタッチパネル式表示装置を有するエレベーターにおける情報表示方法であって、
該測定手段によって測定される測定値を基にかご位置情報を検出するかご位置検出ステップと、
該タッチパネル式表示装置の表示画面上の接触された位置を検出するタッチ検出ステップと、
該かご位置検出ステップによって検出されるかご位置情報に応じて、該タッチパネル式表示装置のタッチ位置を有効とするように制御するタッチ位置検出制御ステップと、
該かご位置検出ステップによって検出されるかご位置情報に応じて、該表示画面上の表示場所を決めると共に、該かご位置情報に応じて記憶手段に記憶された情報を読み出す表示制御ステップを有し、
該タッチ検出ステップにおいて検出した接触の位置に応じて、かご位置情報に応じた情報を該記憶手段から読み出して、該表示画面の該表示場所に表示する
ことを特徴とするエレベーターにおける情報表示方法。
【発明の詳細な説明】
【技術分野】
【０００１】
本発明は、エレベーターの情報表示システム及び方法に係り、特に展望用エレベーター等の展望用窓を備えたエレベーターにおいて展望用窓から見える景色に関する情報を表示するエレベーターの情報表示システム及び方法に関する。
【背景技術】
【０００２】
高層ビルや塔に設置される展望用エレベーターには展望用の窓が備えられ、利用者はこの窓を通して外の景色をよく見渡せる。最近では、展望用エレベーターに景観情報画像を表示する表示装置を備え、エレベーターから見える景色を表示装置に表示して、顧客サービスを提供するものが提案されている。
【０００３】
例えば、特許文献１には、エレベーターの窓ガラスの前に透過性フィルムスクリーンから成る画像表示装置を設け、乗りかごの位置および速度を測定し、その測定情報から昇降路外部の景観と同期させた画像をフィルムスクリーンに投影させることにより、昇降路の乗りかごが階床間を走行中であっても、乗りかごの窓ガラスから見える昇降路の外部の現実の景観に適合した景観情報画像を、乗客からの視線に合わせて映像出力できるエレベーターの情報表示装置が開示されている。
【先行技術文献】
【特許文献】
【０００４】
【特許文献１】特開２０１２-００６７６０号公報
【発明の概要】
【発明が解決しようとする課題】
【０００５】
特許文献１に記載の技術は、乗かごの窓ガラスから見える昇降路の外部の現実の景観に適合した景観情報画像をプロジェクタでフィルムスクリーンに投影することで表示している。そのため、身長の高い乗客が窓のそばにいる場合は、その人が影となるので、景観情報をフィルムスクリーンに映写できない。また、乗客が知る必要の無い対象物の景観情報まで表示するので、表示される映像が景観の妨げになり、エレベーターからの眺望の低下を招くことがある。
【０００６】
本発明の目的は、エレベーターの窓から見える景観に関する情報を表示することができ、また乗客の操作によって任意に情報を表示し又は消去することができるエレベーターの情報表示システム及び方法を提供することにある。
【課題を解決するための手段】
【０００７】
本発明に係るエレベーターの情報表示システムは、好ましくは、かごに外の景色が見える窓を有するエレベーターと、該エレベーターを移動制御する制御装置と、移動する該エレベーターのかご位置を測定する測定手段と、該エレベーターの窓に設置された透明性のタッチパネル式表示装置を有するエレベーターにおいて、
該景色に関する情報を記憶する記憶手段と、
該測定手段によって測定される測定値を基にかご位置情報を検出するかご位置検出部と、
該タッチパネル式表示装置の表示画面上の接触された位置を検出するタッチ検出部と、
該かご位置検出部によって検出されるかご位置情報に応じて、該タッチパネル式表示装置のタッチ位置を有効とするように制御するタッチ位置検出制御部と、
該かご位置検出部によって検出されるかご位置情報に応じて、該表示画面上の表示場所を決めると共に、該かご位置情報に応じて該記憶手段に記憶された情報を読み出す表示制御部を有し、
該タッチ検出部が検出した接触の位置に応じて、該表示制御部は、かご位置情報に応じた情報を、該記憶手段から読み出して、該表示画面の該表示場所に表示することを特徴とするエレベーターの情報表示システムとして構成される。
本発明はまた、エレベーターにおける情報表示方法としても構成される。
【発明の効果】
【０００８】
本発明によれば、かごの窓を通して外の景色が見える展望用エレベーターにおいて、窓から見える山や建造物等の景観に関する情報を、窓に設置した透明性のタッチパネル式表示装置に表示することが可能なエレベーターの情報表示システムを実現できる。また、乗客がタッチパネル上の任意の位置を接触することにより、情報を表示し又は消去することができる。
【図面の簡単な説明】
【０００９】
【図１】エレベーター装置の全体構成を示す図である。
【図２】一実施例による表示装置に表示される情報の例を示す図である。
【図３】一実施例によるエレベーターの情報表示システムの制御ブロック図である。
【図４】一実施例によるエレベーターの表示制御動作のフローチャートである。
【図５】一実施例による表示情報の管理テーブルの構成例を示す図である。
【発明を実施するための形態】
【００１０】
以下、図面を参照して、本発明の一実施例を説明する。
図１は、エレベーター装置の全体構成を示す。１０１は乗り降り可能なかごを有する多階床間を昇降するエレベーター、１０２はかご１０１の側面に設置された表示装置、１０３はエレベーターの昇降移動を制御する制御装置、１０４はエレベーターを昇降移動させるモータのような駆動装置、１０５はエレベーターのかご位置やかご速度を測定する例えばエンコーダのような測定装置である。エレベーター制御装置１０３からの制御信号を受け、駆動装置１０４の動力により、ロープに吊り下げられた状態のエレベーター１０１を昇降させる。
【００１１】
ここで、表示装置１０２は透明な画面で構成されたタッチパネル式の表示器であり、乗客がタッチパネル内の任意の位置を接触することによって情報の表示、非表示を変更する（選択する）ことが可能である。乗客は表示装置１０２を通して外部の景色を眺望することができ、また必要に応じて、眺望している景色に対応する位置に接触することで、その景色に関する名称や説明に関する情報を表示装置１０２に表示させることが可能となる。景色に関する説明とは、例えば眺望できる山や建造物の説明、その歴史の説明があげられる。
【００１２】
図２は、表示装置及びそれに表示される情報の例を示す。
乗客は表示装置１０２の表示画面１０２´を通して外部の景色を眺望することが出来る。また、表示画面の領域（見える景色に対応する領域）２０１〜２０３（総じて２０と示す）がタッチ検出部となり、乗客がその領域を接触すると、タッチ検出部がその位置を検出して、景色に関する表示情報（例えば名称）をその検出された領域に表示する（又は表示中の名称を消去する）。
【００１３】
エレベーターが昇降すると、窓から見える景色が変化する。（Ｂ）に示すように、エレベーターが高階床に移動した場合、眺望も良くなり、表示装置１０２を通して見える外の景色も遠方まで可能となる。それに応じて景色に関する名称等を景色の見える位置に対応させて表示する。即ち、エンコーダ１０５が検出したかごの位置情報やかごの速度情報からタッチパネルのタッチ検出箇所を制御し、（Ｂ）に示すように、タッチ検出部を２０１〜２０３のように景色の大きさに比例して変化させる。乗客が、エレベーターのかご位置（即ち階数に応じて）に応じた景色に対応する、表示画面１０２´のタッチ検出部２０１〜２０３に触れることで、表示装置１０２の制御部はタッチ位置に対応する景色の名称２Ａ、２Ｂ、２Ｃを表示することができる。
【００１４】
図３は、エレベーターの情報表示システムの制御ブロック図である。
エレベーターを制御する制御装置１０３は、エレベーターを上下に移動させる指令を出し、エレベーターが上下移動した際、エンコーダ１０５がエレベーターの移動した距離およびエレベーターの速度を測定する。かご位置情報検出部３０２は、エンコーダ１０２によって測定された値をかご位置情報として検出する。かご速度情報検出部３０３は、エンコーダ１０２によって測定された値をかご速度情報として検出する。
【００１５】
メモリ３０５は、かご位置情報（例えば階数）に対応して表示位置や表示情報を予め定義した管理テーブルを保管する。管理テーブルの構成は図５を参照して後述する。
【００１６】
表示制御部３０３は、管理テーブルを参照して、かご位置情報検出部３０２によって検出されたかご位置情報に対応する表示画面１０２´上の表示場所（表示位置）やタッチ検出部２０及び表示情報（名称２Ａ等）を決める。表示画面上のいずれの場所に名称を表示するか又は消去するかは、タッチ検出部２０が検出したタッチ位置の情報に従って、表示制御部３０３が管理テーブルにより定義されたタッチ位置５０３及びその場所に表示される名称（又は消去の対象）を決める。表示制御部３０３はまた、かご速度情報検出部３０２にて検出されたかご速度情報に応じて、表示画面の領域に表示される名称等をスクロールするように制御する。
【００１７】
タッチ検出部制御部３０４は、かご位置情報及びかご速度情報に応じて表示画面１０２´上のタッチ検出場所を有効とするように制御する。図２の例によれば、エレベーター位置が１Ｆのときは、表示画面の全域がタッチ検出部２０１となるように制御し、エレベーター位置が３０Ｆのときは、表示画面の３つの領域２０１〜２０３がタッチ検出部となるように制御する。
【００１８】
図５は、表示情報の管理テーブルの構成を示す。
管理テーブルの内容は、かごの位置情報（階数）５０１に応じて、表示画面１０２´の表示領域５０２及びタッチ位置５０３、及び表示領域に表示される情報５０４が定義される。更に、タッチ位置５０３に接触されたか否かを示すオンオフ状態が規定される。乗客がある領域に接触した場合にはオン、非接触の場合はオフである。
【００１９】
例えば、エレベーター位置が１Ｆの場合、表示画面全体に亘って１つの表示領域及びタッチ位置「２０１」が規定される。表示領域「２０１」への表示情報は「○○ビル」である。更に、エレベーター位置が３０Ｆの場合、３つの表示領域及びタッチ位置「２０１」「２０２」「２０３」が規定される。それぞれの表示領域「２０１」〜「２０３」に対応する表示情報として、「○○ビル」「＊＊遊園地」「△△山」が規定される。図示の例では、乗客が領域２０３を接触したので、そのタッチ位置が「オン」となり、領域２０３に名称「△△山」が表示中であることを示している。
【００２０】
次に、図４のフローチャートを参照して、表示制御動作について説明する。
まず、エレベーター１０１が移動中かどうかを判定する(Ｓ４０１)。判定の結果、移動中であった場合はエンコーダ１０５からの情報に基づいて、かご位置情報検出部３０１及びかご速度情報検出部３０２が、かご位置情報の検出(Ｓ４０２)およびかご速度情報の検出(Ｓ４０３)を行う。
【００２１】
タッチ検出部制御部３０４は、メモリ３０５に格納された管理テーブルを参照して、かご位置情報に応じてタッチ位置を有効とするように制御する（Ｓ４０４）。そして、タッチ検出部２０が、乗客がタッチパネルに触れたことを検知し（Ｓ４０５）、その場所がかご位置情報に応じたタッチ領域内であるかを判断する（Ｓ４０６）。この判断の結果、タッチ領域内の接触であると判断した場合、表示制御部３０３は、管理テーブルを参照して、かご位置情報に対応し、かつタッチ領域に対応する表示情報（名称）を読み出して、表示装置１０２の表示画面に表示する（Ｓ４０７）。
【００２２】
例えば、エレベーター位置が３０Ｆの場合、管理テーブルより３つの表示領域及びタッチ位置「２０１」「２０２」「２０３」が規定されるが、もし乗客が遠方の山が見える領域２０３を接触したとすると、そのタッチ位置が「オン」となり、表示制御部３０３は管理テーブルを参照して、領域２０３に対応して規定された名称「△△山」を読み出して、表示画面の領域２０３に表示する。
【００２３】
なお、図４には示していないが、表示画面の領域２０３に名称「△△山」が表示中のところ、乗客が領域２０３を接触したとすると、タッチ検出部２０がそれを検知して、表示制御部３０３は管理テーブルを参照して、領域２０３のタッチ位置を「オフ」にして、名称「△△山」の表示を消去する。
【００２４】
以上、一実施例について説明したが、本発明は上記実施例に限定されることなく、本発明の趣旨を逸脱しない範囲で種々変形して実施し得る。例えば、図５に示す管理テーブルに記憶される景色の名称や説明は管理テーブル内ではなく、管理テーブルとは別のデータベースのような記憶手段に記憶しておき、かご位置情報と表示領域乃至タッチ位置の情報を基にそれらを検索できるようにしておいてもよい。
また、かごの位置情報は、階数ではなく、エンコーダ１０５による測定値或いはそれを数値変換したデータでもよい。
【００２５】
上記実施例によれば、外の景色が見える展望用エレベーターにおいて、窓から見える景色（山や海、建造物など）に関する情報を、窓に備え付けた透明のタッチパネル式表示装置に表示することで、乗客に景観の情報を提供することができる。特に、タッチパネル式表示装置を用いることで、従来のカメラの投影による表示方法で問題であった、身長の高い乗客が表示装置のそばに居るときに乗客の影となってしまい、投影することができないといった問題を解決することができる。また、情報の表示を、乗客がタッチパネルに接触したことを契機とすることで、乗客の任意のタイミングで情報を表示することができる。乗客が知る必要の無い対象物に関する情報については、乗客はタッチパネルに接触しなければよいので、不要な情報を表示しないで済む。また、従来問題であった、表示された情報が乗客の眺望の妨げになると感じた場合でも、乗客の接触操作によってその表示情報を消去することができる。
【符号の説明】
【００２６】
１０１：エレベーター  １０２：表示装置  １０３：制御装置  １０４：駆動装置  
１０５：エンコーダ
２０１〜２０３、２０：タッチ検出部  ２Ａ〜２Ｃ：名称
３０１：かご位置情報検出部  ３０２：かご速度情報検出部  ３０３：表示制御部  
３０４：タッチ検出部制御部  ３０５：メモリ  
【図１】
2014141325.tif 000003
【図２】
2014141325.tif 000004
【図３】
2014141325.tif 000005
【図４】
2014141325.tif 000006
【図５】
2014141325.tif 000007